(57)【要約】      （修正有）【課題】電子機器に実装した際に、電子機器の厚さを、従来より小さくすることができるノイズフィルタを実現する。【解決手段】ケース12内にフィルタ回路38を構成する電子部品を収納して成るノイズフィルタであって、上記ケース12は、平坦面と成された底壁部14、該底壁部14から立設する第１の側壁部18ａを備えており、該第１の側壁部18ａに、ケース12内方へ向かって４５度の角度で傾斜する傾斜面20を形成すると共に、該傾斜面20に、入力端子24及びアース端子26を内部に備えたインレットソケット22を接続して成り、インレットソケット22及びインレットソケット22内の入力端子24、アース端子26を上記傾斜面20と直交方向に配置した。【選択図】図７
2010016854.tif 000002
【特許請求の範囲】
【請求項１】
ケース内にフィルタ回路を構成する電子部品を収納して成るノイズフィルタであって、上記ケースは、平坦面と成された底壁部と、該底壁部から立設する側壁部を備えており、該側壁部に、ケース内方へ向かって所定角度で傾斜する傾斜面を形成すると共に、該傾斜面に、端子を内部に備えたインレットソケットを接続して成り、さらに、上記インレットソケット及びインレットソケット内の端子を、上記傾斜面と直交方向に配置したことを特徴とするノイズフィルタ。
【請求項２】
上記側壁部の傾斜面の傾斜角度が、３０〜８５度の範囲であることを特徴とする請求項１に記載のノイズフィルタ。
【請求項３】
上記側壁部の傾斜面の傾斜角度が４５度であることを特徴とする請求項１又は２に記載のノイズフィルタ。
【発明の詳細な説明】
【技術分野】
【０００１】
この発明はノイズフィルタに係り、特に、ケース内にフィルタ回路を構成するコイルやコンデンサ等の電子部品を収納すると共に、上記ケースの壁部にインレットソケットを接続して成るノイズフィルタに関する。
【背景技術】
【０００２】
従来、電源ライン或いは通信ライン等の外部ラインを経由して電子機器内に侵入する各種のノイズによって、電子機器が誤動作することを防止するため、種々のノイズフィルタが案出されている。
図１１乃至図１５は、従来のノイズフィルタを示すものであり、このノイズフィルタ60は、略直方体状の箱型と成された導電性ケース62内に、フィルタ回路を構成するコイルやコンデンサ等の各種電子部品（図示省略）を収納して成る。
【０００３】
ケース62の第１の側壁部64ａには、インレットソケット66が接続されており、該インレットソケット66内には、一対の入力端子68とアース端子70が設けられている。また、図１５に示すように、第１の側壁部64ａには、ノイズフィルタ固定用の一対の穴部71が形成されている。
また、ケース62の第１の側壁部64ａと対向する第２の側壁部64ｂには、ファストン端子で構成された一対の出力端子72とアース端子74が、それぞれ所定の間隔を設けて接続固定されている。
さらに、第１の側壁部64ａ、第２の側壁部64ｂの両端と直交する長方形状の第３の側壁部64ｃ及び第４の側壁部64ｄが設けられている。
上記インレットソケット66内の入力端子68と、ファストン端子より成る出力端子72は、ケース62内において、フィルタ回路を構成する各種電子部品（図示省略）と所定の電気的接続が実現されている。
【０００４】
図１６は、従来のノイズフィルタ60を電子機器としての薄型テレビ76に組み込んで使用する場合を模式的に示したものである。図１６において、78はガラスパネル、80は各種の電子部品が実装された回路基板、82はスピーカーである。
ノイズフィルタ60は、固定金具84を介して、薄型テレビ76の背面85に、インレットソケット66が外部に露出するようにして斜め（水平方向に対して約４５度の角度）方向に実装されている。
ノイズフィルタ60の露出したインレットソケット66には、電源コード86のアウトレット88が接続され、ノイズフィルタ60でノイズが除去された後、電源が薄型テレビ76に供給されるようになっている。
【発明の開示】
【発明が解決しようとする課題】
【０００５】
上記において、ノイズフィルタ60を、薄型テレビ76の背面85に斜め方向で実装したのは、電源コード86のアウトレット88の抜け防止のためである。すなわち、ノイズフィルタ60のインレットソケット66が真下を向くように実装した場合、電源コード86の自重によりアウトレット88が抜け落ちてしまうことがあるためである。
しかしながら、ノイズフィルタ60を、薄型テレビ76の背面85に斜め方向で実装した場合には、導電性ケース62の第３の側壁部64ｂの対角線の長さＤに相当する空間をノイズフィルタ実装用に確保しなければならず、薄型テレビ76の厚さを小さくする際の障害となっていた。
【０００６】
本発明は、従来の上記問題点に鑑みて案出されたものであり、その目的とするところは、電子機器に実装した際に、電子機器の厚さを、従来より小さくすることができるノイズフィルタを実現することにある。
【課題を解決するための手段】
【０００７】
上記の目的を達成するために、本発明に係るノイズフィルタは、ケース内にフィルタ回路を構成する電子部品を収納して成るノイズフィルタであって、上記ケースは、平坦面と成された底壁部と、該底壁部から立設する側壁部を備えており、該側壁部に、ケース内方へ向かって所定角度で傾斜する傾斜面を形成すると共に、該傾斜面に、端子を内部に備えたインレットソケットを接続して成り、さらに、上記インレットソケット及びインレットソケット内の端子を、上記傾斜面と直交方向に配置したことを特徴とする。
【０００８】
上記側壁部の傾斜面の傾斜角度は、３０〜８５度の範囲と成すのが好適であり、特に、４５度と成すのが最適である。
【発明の効果】
【０００９】
本発明のノイズフィルタにあっては、ケースが、平坦面と成された底壁部と、該底壁部から立設する側壁部を備えており、該側壁部に、ケース内方へ向かって所定角度で傾斜する傾斜面を形成すると共に、該傾斜面に、端子を内部に備えたインレットソケットを接続して成り、さらに、上記インレットソケット及びインレットソケット内の端子を、上記傾斜面と直交方向に配置している。このため、インレットソケットを下側にしてノイズフィルタの底壁部を鉛直方向に沿って配置すると、インレットソケット及びインレットソケット内の端子が、水平方向に対して斜めの角度で配置されるので、電源コードのアウトレットの抜けを防止することができると共に、ケースの側壁部の高さに相当する空間だけをノイズフィルタ実装用に確保すれば足り、ノイズフィルタを実装する電子機器のの厚さを、従来のノイズフィルタ60に比べて小さくすることができる。
【発明を実施するための最良の形態】
【００１０】
以下において、本発明に係るノイズフィルタを図１乃至図８に基づいて説明する。
本発明に係るノイズフィルタ10は、導電性ケース12内に、後述するフィルタ回路を構成する各種電子部品（図示省略）を収納して成る。
【００１１】
上記ケース12は、平坦面と成された略長方形状の底壁部14、該底壁部14と対向する略長方形状の上壁部16、上記底壁部14と上壁部16間に設けられ、底壁部14から立設する第１の側壁部18ａ、第２の側壁部18ｂ、第３の側壁部18ｃ、第４の側壁部18ｄを有している。第１の側壁部18ａと第２の側壁部18ｂ、第３の側壁部18ｃと第４の側壁部18ｄは、それぞれ対向配置されており。また、第１の側壁部18ａ、第２の側壁部18ｂと第３の側壁部18ｃ、第４の側壁部18ｄとは、直交方向に配置されている。
【００１２】
ケース12の第１の側壁部18ａには、ケース12内方へ向かって所定角度（本実施の形態においては４５度）で傾斜する傾斜面20が形成され、該傾斜面20にはインレットソケット22が接続されており、該インレットソケット22内には、一対の入力端子24とアース端子26が設けられている。
上記インレットソケット22及びインレットソケット22内の入力端子24、アース端子26は、図７に示すように、第１の側壁部18ａの傾斜面20と直交方向に配置されている。
【００１３】
また、ケース12の第２の側壁部18ｂには、ケース12内方へ向かって所定角度で傾斜する傾斜面28が形成され、該傾斜面28にはファストン端子で構成された一対の出力端子30とアース端子32が、それぞれ所定の間隔を設けて接続固定されている。
ケース12の底壁部14には、略山形の一対のフランジ部34が設けられ、該フランジ部34にはノイズフィルタ固定用の穴36が形成されている。
【００１４】
上記インレットソケット22内の入力端子24と、ファストン端子より成る出力端子30は、ケース12内において、各種電子部品で構成されたフィルタ回路38と所定の電気的接続が実現されている。
すなわち、フィルタ回路38は、例えば、図９に示すように、第１のＸコンデンサC1、第２のＸコンデンサC2、第１のＹコンデンサC3、第２のＹコンデンサC4、コモンモードチョークコイルＬ及び抵抗器Ｒで構成されている。
【００１５】
そして、コモンモードチョークコイルＬを構成する一方の巻線が、一方の入力端子24と出力端子30間に、また、コモンモードチョークコイルＬを構成する他方の巻線が、他方の入力端子24と出力端子30間に電気的に接続されるよう配線される。
また、抵抗器Ｒと第１のＸコンデンサC1が、一対の入力端子24，24間に電気的に接続されるよう配線される。また、第２のＸコンデンサC2は、一対の出力端子30，30間に電気的に接続されるよう配線される。
さらに、第１のＹコンデンサC3は、一方の出力端子30とアース端子32間に接続されるよう配線されると共に、第２のＹコンデンサC4は、他方の出力端子30とアース端子32間に接続されるよう配線される。
尚、図９に示す回路構成は一例を示したものに過ぎず、これに限定されるものではない。
【００１６】
図１０は、本発明のノイズフィルタ10を電子機器としての薄型テレビ76に組み込んで使用する場合を模式的に示したものである。図１０において、78はガラスパネル、80は各種の電子部品が実装された回路基板、82はスピーカーである。
ノイズフィルタ10は、平坦面と成された底壁部14が、ガラスパネル78と平行となる鉛直方向に沿って薄型テレビ76内の基板83上へ載置固定されると共に、第１の側壁部18ａのインレットソケット22が、薄型テレビ76の背面85から外部に露出するようにして実装されている。
ノイズフィルタ10の露出したインレットソケット22には、電源コード86のアウトレット88が接続され、ノイズフィルタ10でノイズが除去された後、電源が薄型テレビ76に供給されるようになっている。
【００１７】
本発明のノイズフィルタ10は、ケース12が平坦面と成された底壁部14と、該底壁部14から立設する第１の側壁部18ａを備えており、該第１の側壁部18ａに、ケース12内方へ向かって４５度で傾斜する傾斜面20を形成すると共に、該傾斜面20に、入力端子24及びアース端子26を内部に備えたインレットソケット22を接続して成り、インレットソケット22及びインレットソケット22内の入力端子24、アース端子26を上記傾斜面20と直交方向に配置している。このため、インレットソケット22を下側にしてノイズフィルタ10の底壁部14を鉛直方向に沿って配置すると、インレットソケット22及びインレットソケット22内の入力端子24、アース端子26が、水平方向に対して斜め（４５度）の角度で配置されるので、電源コード86のアウトレット88の抜けを防止することができると共に、ケース12の第３の側壁部18ｃの高さｄに相当する空間だけをノイズフィルタ実装用に確保すれば足り、薄型テレビ76の厚さを、従来のノイズフィルタ60に比べて小さくすることができる。
【００１８】
尚、第１の側壁部18ａの傾斜面20の傾斜角度が小さすぎる場合には、ケース12内の容積が小さくなり、フィルタ回路38を構成する電子部品の収納が困難となる。
以上のことから、第１の側壁部18ａの傾斜面20の傾斜角度は、３０〜８５度の範囲とするのが適当であり、特に、４５度の場合が、電子部品の収納及びアウトレット88の抜け防止の観点から最も好ましい。   
【図面の簡単な説明】
【００１９】
【図１】本発明に係るノイズフィルタの正面図である。
【図２】本発明に係るノイズフィルタの背面図である。
【図３】本発明に係るノイズフィルタの平面図である。
【図４】本発明に係るノイズフィルタの底面図である。
【図５】本発明に係るノイズフィルタの右側面図である。
【図６】本発明に係るノイズフィルタの左側面図である。
【図７】図１のＡ−Ａ概略断面図である。
【図８】本発明に係るノイズフィルタの斜視図である。
【図９】本発明に係るノイズフィルタのフィルタ回路を示す回路図である。
【図１０】本発明に係るノイズフィルタを、薄型テレビに組み込んで使用する場合を模式的に示す説明図である。
【図１１】従来のノイズフィルタの正面図である。
【図１２】従来のノイズフィルタの背面図である。
【図１３】従来のノイズフィルタの平面図である。
【図１４】従来のノイズフィルタの右側面図である。
【図１５】従来のノイズフィルタの左側面図である。
【図１６】従来のノイズフィルタを、薄型テレビに組み込んで使用する場合を模式的に示す説明図である。
【符号の説明】
【００２０】
10    ノイズフィルタ
12    ケース
14    ケースの底壁部
16    ケースの上壁部
18ａ ケースの第１の側壁部
18ｂ ケースの第２の側壁部
18ｃ ケースの第３の側壁部
18ｄ ケースの第４の側壁部
20    第１の側壁部の傾斜面
22    インレットソケット
24    入力端子
26    アース端子
28    第２の側壁部の傾斜面
30    出力端子
32    アース端子
34    フランジ部
36    穴
38    フィルタ回路
Ｌ    コモンモードチョークコイル
C1    第１のＸコンデンサ
C2    第２のＸコンデンサ
C3    第１のＹコンデンサ
C4    第２のＹコンデンサ
Ｒ    抵抗器
【図１】
2010016854.tif 000003
【図２】
2010016854.tif 000004
【図３】
2010016854.tif 000005
【図４】
2010016854.tif 000006
【図５】
2010016854.tif 000007
【図６】
2010016854.tif 000008
【図７】
2010016854.tif 000009
【図８】
2010016854.tif 000010
【図９】
2010016854.tif 000011
【図１０】
2010016854.tif 000012
【図１１】
2010016854.tif 000013
【図１２】
2010016854.tif 000014
【図１３】
2010016854.tif 000015
【図１４】
2010016854.tif 000016
【図１５】
2010016854.tif 000017
【図１６】
2010016854.tif 000018